(57)【特許請求の範囲】
【請求項１】
車室内に送風される空気が流通する空気通路（１０，１２，１５）を内部に有し、複数のケース部材（２，３；１０２，１０３）を組み合わせて形成されている空調ケース（１）と、
内部に熱媒体が流れる熱交換部（１１０）と前記熱媒体の流出用配管および流入用配管が結合されている配管接続部（１１３）とを有し前記空調ケースの内部に設置されて前記熱交換部を通過する空気を前記熱媒体と熱交換させて空調する熱交換器（１１）と、
前記配管接続部に対向するように、複数の前記ケース部材のうちの一つの所定のケース部材（２；１０２）に設けられた配管用開口部（２１）と、
前記所定のケース部材に設けられ前記熱交換器を前記所定のケース部材の内部に挿通可能な大きさを有する設置用開口部（２０）と、
前記所定のケース部材に設けられるガイド部であって前記所定のケース部材において前記設置用開口部の側から奥側壁（２３）に向かって延びるガイド面を有するガイド部（２２）と、
を備え、
前記熱交換器は、前記熱交換部を通過する空気が前記熱交換部を通過する際の入口面または出口面に相当する前記熱交換部の空気通過面（１１０ａ）を備え、
前記熱交換器は、前記設置用開口部寄りの部位の方が前記奥側壁寄りの部位よりも前記ガイド部から離間するように前記空気通過面が前記ガイド面に対して傾斜した姿勢で前記所定のケース部材の内部に収容されており、
前記ガイド部は、前記熱交換器の側面を支持する第１壁部（２２０）と前記第１壁部に対して内側に位置して段差を形成する第２壁部（２２１）とをつなぐ連絡壁部である車両用空調装置。
【請求項２】
前記熱交換器は、前記配管接続部に近い一端側の部位よりも他端側の部位の方が前記ガイド部から離間するように前記空気通過面が前記ガイド面に対して傾斜した姿勢で前記所定のケース部材の内部に収容されている請求項１に記載の車両用空調装置。
【請求項３】
前記熱交換器は、前記配管接続部に近い一端側の部位の方が他端側の部位よりも前記ガイド部から離間するように前記空気通過面が前記ガイド面に対して傾斜した姿勢で前記所定のケース部材の内部に収容されている請求項１に記載の車両用空調装置。
【請求項４】
車室内に送風される空気が流通する空気通路（１０，１２，１５）を内部に有し、複数のケース部材（１０２，１０３）を組み合わせて形成されている空調ケース（１）と、
内部に熱媒体が流れる熱交換部（１１０）と前記熱媒体の流出用配管および流入用配管が結合されている配管接続部（１１３）とを有し前記空調ケースの内部に設置されて前記熱交換部を通過する空気を前記熱媒体と熱交換させて空調する熱交換器（１１）と、
前記配管接続部に対向するように、複数の前記ケース部材のうちの一つの所定のケース部材（１０２）に設けられた配管用開口部（２１）と、
前記所定のケース部材に設けられ前記熱交換器を前記所定のケース部材の内部に挿通可能な大きさを有する設置用開口部（２０）と、
前記所定のケース部材に設けられるガイド部であって前記所定のケース部材において前記設置用開口部の側から奥側壁（２３）に向かって延びるガイド面を有するガイド部（２２；１２２）と、
を備え、
前記熱交換器は、前記熱交換部を通過する空気が前記熱交換部を通過する際の入口面または出口面に相当する前記熱交換部の空気通過面（１１０ａ）を備え、
前記熱交換器は、前記設置用開口部寄りの部位の方が前記奥側壁寄りの部位よりも前記ガイド部から離間するように前記空気通過面が前記ガイド面に対して傾斜した姿勢で前記所定のケース部材の内部に収容されており、
前記熱交換器は、前記配管接続部に近い一端側の部位の方が他端側の部位よりも前記ガイド部から離間するように前記空気通過面が前記ガイド面に対して傾斜した姿勢で前記所定のケース部材の内部に収容されている車両用空調装置。
【請求項５】
前記ガイド部は、前記所定のケース部材の内面から内側に突出するリブ（１２２）である請求項４に記載の車両用空調装置。
【請求項６】
前記配管接続部の外周には、前記所定のケース部材の内面に接触するシール部材（１１３ａ）が設けられている請求項１から請求項５のいずれか一項に記載の車両用空調装置。
【発明の詳細な説明】
【技術分野】
【０００１】
この明細書における開示は、複数のケース部材を組み合わせてなるケースの内部に熱交換器を収容する車両用空調装置に関する。
【背景技術】
【０００２】
特許文献１に開示の車両用空調装置は、固定側ケースと着脱側ケースとを組み合わせて形成される空調ケースを有する。固定側ケースに着脱側ケースを組み付けたとき、固定側ケースの第１分割開口部と着脱側ケースの第２分割開口部とが互いに位置符合してケース開口部を形成する。このケース開口部には、空調ケース内に収容される蒸発器の熱交換媒体配管が貫通して空調ケースの内部から外部へ延びている。
【先行技術文献】
【特許文献】
【０００３】
【特許文献１】特開２００８−１０５６４１号公報
【発明の概要】
【発明が解決しようとする課題】
【０００４】
特許文献１のように熱交換媒体配管の位置で２つのケースを組み合わせる構造は、固定側ケース内に蒸発器を設置してから、着脱側ケースを固定側ケースに組み付けることで、空調ケース内に容易に蒸発器を設置することを可能にしている。
【０００５】
特許文献１の装置では、蒸発器の熱交換媒体配管の位置で空調ケースを分割するため、蒸発器を空調ケース内に設置しやすい。しかしながら、熱交換媒体配管がケースを貫通する位置に２つのケースの嵌合部を設定する必要があり、嵌合部の形成箇所を設定する自由度が小さくなったり、嵌合部が複雑な形状になりうるという問題がある。また、嵌合部の形状が複雑になることで嵌合部が変形しやすいので、２つのケースを組み付ける際の組付けやすさに不具合が生じることがある。また、熱交換媒体配管に結露した水が毛細管現象により嵌合部を伝わって流れ落ちやすい。これらの問題は、熱交換媒体配管の位置で空調ケースを分割する構造であることに起因している。
【０００６】
このような課題に鑑み、この明細書における開示の目的は、熱交換器から延びる配管等を空調ケースの分割位置に通す構成を採用することなく、熱交換器を空調ケース内に設置することができる車両用空調装置を提供することである。
【課題を解決するための手段】
【０００７】
この明細書に開示された複数の態様は、それぞれの目的を達成するために、互いに異なる技術的手段を採用する。また、特許請求の範囲およびこの項に記載した括弧内の符号は、ひとつの態様として後述する実施形態に記載の具体的手段との対応関係を示す一例であって、技術的範囲を限定するものではない。
【０００８】
開示された車両用空調装置のひとつは、車室内に送風される空気が流通する空気通路（１０，１２，１５）を内部に有し複数のケース部材（２，３；１０２，１０３）を組み合わせて形成されている空調ケース（１）と、内部に熱媒体が流れる熱交換部（１１０）と熱媒体の流出用配管および流入用配管が結合されている配管接続部（１１３）とを有し空調ケースの内部に設置されて熱交換部を通過する空気を熱媒体と熱交換させて空調する熱交換器（１１）と、配管接続部に対向するように、複数のケース部材のうちの一つの所定のケース部材（２；１０２）に設けられた配管用開口部（２１）と、所定のケース部材に設けられ熱交換器を所定のケース部材の内部に挿通可能な大きさを有する設置用開口部（２０）と、所定のケース部材に設けられるガイド部であって所定のケース部材において設置用開口部の側から奥側壁（２３）に向かって延びるガイド面を有するガイド部（２２）と、を備え、
熱交換器は、熱交換部を通過する空気が熱交換部を通過する際の入口面または出口面に相当する熱交換部の空気通過面（１１０ａ）を備え、熱交換器は、設置用開口部寄りの部位の方が奥側壁寄りの部位よりもガイド部から離間するように空気通過面がガイド面に対して傾斜した姿勢で所定のケース部材の内部に収容されており、ガイド部は、熱交換器の側面を支持する第１壁部（２２０）と第１壁部に対して内側に位置して段差を形成する第２壁部（２２１）とをつなぐ連絡壁部である。
【０００９】
この車両用空調装置によれば、空調ケースを形成する複数のケース部材のうちの一つの所定のケース部材に設けられるガイド部と、熱交換器が挿通可能な大きさである、所定のケース部材に設けられる設置用開口部と、を備える。このガイド部は、設置用開口部の側から奥側壁に向かって延びるガイド面を有する。このため、熱交換器を所定のケース部材内に設置するときに熱交換器の一部をガイド面に沿わせるようにして設置用開口部から内部に進入させることができる。そして、熱交換器が一つの所定のケース部材の内部に収容された状態では、熱交換器は設置用開口部寄りの部位の方が奥側壁寄りの部位よりもガイド部から離間するように空気通過面がガイド面に対して傾斜する姿勢となっている。これにより、空気通過面をガイド面に沿わせながら熱交換器を所定のケース部材の奥側壁まで進入させた状態から設置用開口部寄りの部位をガイド面から離れるように動かすことで、配管接続部が配管用開口部に対向する姿勢で熱交換器を収容できる。
【００１０】
したがって、このように熱交換器を収容することができた一つのケース部材に他のケース部材を組み付けることによって空調ケースを形成できる。以上より、この車両用空調装置によれば、熱交換器から延びる配管等を空調ケースの分割位置に通す構成を採用することなく、熱交換器を空調ケース内に設置することができる。
また、開示された車両用空調装置のひとつは、車室内に送風される空気が流通する空気通路（１０，１２，１５）を内部に有し、複数のケース部材（１０２，１０３）を組み合わせて形成されている空調ケース（１）と、内部に熱媒体が流れる熱交換部（１１０）と熱媒体の流出用配管および流入用配管が結合されている配管接続部（１１３）とを有し空調ケースの内部に設置されて熱交換部を通過する空気を熱媒体と熱交換させて空調する熱交換器（１１）と、配管接続部に対向するように、複数のケース部材のうちの一つの所定のケース部材（１０２）に設けられた配管用開口部（２１）と、所定のケース部材に設けられ熱交換器を所定のケース部材の内部に挿通可能な大きさを有する設置用開口部（２０）と、所定のケース部材に設けられるガイド部であって所定のケース部材において設置用開口部の側から奥側壁（２３）に向かって延びるガイド面を有するガイド部（２２；１２２）と、を備え、
熱交換器は、熱交換部を通過する空気が熱交換部を通過する際の入口面または出口面に相当する熱交換部の空気通過面（１１０ａ）を備え、熱交換器は、設置用開口部寄りの部位の方が奥側壁寄りの部位よりもガイド部から離間するように空気通過面がガイド面に対して傾斜した姿勢で所定のケース部材の内部に収容されており、熱交換器は、配管接続部に近い一端側の部位の方が他端側の部位よりもガイド部から離間するように空気通過面がガイド面に対して傾斜した姿勢で所定のケース部材の内部に収容されている。
【図面の簡単な説明】
【００１１】
【図１】第１実施形態の車両用空調装置を車両後方にみた背面図である。
【図２】車両用空調装置の側面図である。
【図３】空調ケースにおける第１ケース部材の内部を示した部分断面図である。
【図４】図３のIV−IV断面を矢印方向にみた部分断面図である。
【図５】第１実施形態におけるガイド部の変形例を示した部分断面図である。
【図６】蒸発器をガイド部に沿わせて第１ケース部材の内部に進入させた状態を示す図面である。
【図７】第１ケース部材における配管用開口部を示した正面視した部分図である。
【図８】蒸発器を第１ケース部材の内部に設置した状態を示す図面である。
【図９】第２実施形態の車両用空調装置において、蒸発器をガイド部に沿わせて第１ケース部材の内部に進入させた状態を示す図面である。
【図１０】第２実施形態の車両用空調装置において、蒸発器を第１ケース部材の内部に設置した状態を示す図面である。
【発明を実施するための形態】
【００１２】
以下に、図面を参照しながら本開示を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１３】
（第１実施形態）
第１実施形態の車両用空調装置１００について、図１〜図８を参照して説明する。図１に示すように、車両用空調装置１００は、内部に空気通路を形成するとともに各種の機能部品を収容する空調ケース１を備える。空調ケース１は、複数のケース部材が組み合わされて形成されている。空調ケース１は、少なくとも第１ケース部材２と第２ケース部材３とを嵌合部３０において上下方向に結合することによって形成されている。第１ケース部材２は車両上側に配置され、第２ケース部材３は車両下側に配置されている。
【００１４】
第１ケース部材２と第２ケース部材３とは、車両左右方向に延びる嵌合部３０を形成している。嵌合部３０は、例えば、一方のケース部材の結合端面に形成した突起部と他方のケース部材の結合端面に形成した溝部とが嵌合する部分である。
【００１５】
車両用空調装置１００は、例えば、車室内前部の裏側であってエンジンルームと車室内とを隔てる隔壁板であるダッシュパネルの後方に図１および図２に示す姿勢で設置されている。車両用空調装置１００は、図１に図示するように、大別して送風ユニット１００ａと空調ユニット１００ｂとの２つの部分が左右に並設する構成をなす。
【００１６】
送風ユニット１００ａは、空調ケース１の内部に車室内空気もしくは車室外空気を吸引する機能を有し、上部に内外気切替箱を備えている。送風ユニット１００ａは、電動式の送風機を備える。送風機は、遠心多翼ファンとファン駆動用のモータとを有する。遠心多翼ファンはスクロールケーシング内に配置されている。スクロールケーシングの空気流れ下流側には、スクロールケーシングの出口から延びる流路を構成するダクト部が設けられている。このダクト部は、送風機から送風された送風空気を蒸発器１１に導入するための送風通路１０を形成する。送風ユニット１００ａの出口部は、このダクト部によって空調ユニット１００ｂの入口部に接続されている。
【００１７】
空調ユニット１００ｂは、空調ケース１の内部に、蒸発器１１とヒータコア１４といった熱交換器と、エアミックスドア１３と、吹出口切替ドア１７，１８と、を内蔵する。空調ケース１は、例えばポリプロピレンのような、ある程度弾性を有し、強度的にも優れた樹脂の成形品からなる複数のケース部材によって形成されている。この複数のケース部材は、蒸発器１１およびヒータコア１４の熱交換器等を所定の位置に収納した後に組み立てられ、スナップフィット等の係合手段、金属バネクリップ、ネジ等の締結手段等により一体に結合されて空調ケース１を形成する。
【００１８】
第１実施形態では、空調ケース１は、スクロールケーシング、ダクト部とともに一体的に成形されている。スクロールケーシング及びダクト部の車両上側の一部が、第１ケース部材２によって一体成形されており、スクロールケーシング及びダクト部の車両下側の残部が、第２ケース部材３によって一体成形されている。
【００１９】
第１ケース部材２は、空調ケース１を構成する複数のケース部材のうちの一つの所定のケース部材である。蒸発器１１を第１ケース部材２に収容した状態で、第１ケース部材２の内部には、蒸発器１１から延びる流出用配管、流入用配管、配管接続部１１３も収容されている。
【００２０】
流出用配管、流入用配管、配管接続部１１３は、第１ケース部材２に設けられた配管用開口部２１に対向している。配管用開口部２１は、図６〜図８に図示するように、第１ケース部材２において車両前後方向に貫通する貫通穴である。配管用開口部２１は、配管接続部１１３の外形よりも大きな開口部である。蒸発器１１を第１ケース部材２に収容した状態で配管用開口部２１を車両後方に正面視した場合、配管用開口部２１を通して流出用配管、流入用配管、配管接続部１１３の少なくとも一部を目視することができる。
【００２１】
配管接続部１１３の外周には、第１ケース部材２の内面に接触する弾性変形可能なシール部材１１３ａが設けられている。シール部材１１３ａは、例えば、天然ゴム、合成ゴム、ウレタン等のエラストマによって形成される封止用部材である。シール部材１１３ａは、蒸発器１１を第１ケース部材２に収容した状態で、第１ケース部材２の内面、例えば配管用開口部２１の内周縁または内周縁の周囲に形成される面に接触している。シール部材１１３ａが第１ケース部材２の内面に弾性変形した状態で接触することにより、送風通路１０を流下してきた空気が配管接続部１１３の周囲から空調ケース１の外部に漏れることを防止できる。
【００２２】
第１ケース部材２は、蒸発器１１を第１ケース部材２の内部に挿通可能な大きさを有する設置用開口部２０を備えている。設置用開口部２０は、図６および図８に図示するように、第１ケース部材２において車両前方側において下方に向けて開口している。設置用開口部２０は、蒸発器１１を第１ケース部材２の内部に設置する際に挿入口となる開口部である。
【００２３】
第１ケース部材２の内壁には、設置用開口部２０の側から第１ケース部材２の奥側壁２３に向かって延びるガイド面を有するガイド部が設けられている。奥側壁２３は、蒸発器１１において配管接続部１１３に近い一端１１２が直接または間接的に接触する壁部である。一端１１２は、例えば、蒸発器１１を第１ケース部材２内に設置する際に蒸発器１１の先頭側となるヘッダタンクに相当する。一方、他端１１１は、蒸発器１１の後ろ側となるヘッダタンクに相当する。
【００２４】
ガイド部は、設置用開口部２０の内縁部から奥側壁２３に向けて所定の長さを有する。ガイド部は、図３、図４、図６および図８に図示するように、蒸発器１１の側面を支持する第１壁部２２０と、第１壁部２２０に対して内側に位置して段差を形成する第２壁部２２１と、をつなぐ連絡壁部２２によって構成されている。したがって、第１ケース部材２の内部において、第１壁部２２０と第１壁部２２０との間に形成される空気通路は、第２壁部２２１と第２壁部２２１との間に形成される空気通路よりも車両横方向の通路幅寸法が大きくなっている。
【００２５】
ガイド面は、連絡壁部２２の表面である。ガイド部は、設置用開口部２０の内縁部から奥側壁２３までの全体にわたって延びる連絡壁部２２によって構成されてもよいし、部分的に設けられた連絡壁部２２によって構成されてもよい。また、ガイド部は、設置用開口部２０の内縁部から奥側壁２３に向けて所定長さ分設けられ、奥側壁２３に至らない途中まで延びる連絡壁部２２によって構成されてもよい。
【００２６】
連絡壁部２２のガイド面は、図４に図示するように、蒸発器１１の端部、例えば、熱交換部１１０を補強するサイドプレートの表面に倣った表面形状である。サイドプレートは、熱交換部１１０の端部において冷媒管に沿うように設けられた補強用部材である。この場合、連絡壁部２２のガイド面は蒸発器１１の両側部に設けられたサイドプレートを全体的に支持することが好ましい。
【００２７】
また、ガイド部は、図５に図示するように、第１ケース部材２の側壁から内側に突出するリブ１２２によって構成してもよい。この場合、ガイド面を形成するための段差は形成されず、リブ１２２における蒸発器１１側の表面がガイド面となる。第１ケース部材２の側壁は、蒸発器１１の両側部に設けられたサイドプレートを全体的に支持する。
【００２８】
配管用開口部２１から設置用開口部２０にわたって形成される壁部２ａと連絡壁部２２のガイド面との距離Ｗ２は、配管接続部１１３を含む蒸発器１１における空気通過方向の寸法Ｗ１よりも大きく設定されている。図６には、蒸発器１１を設置用開口部２０から第１ケース部材２内に進入させて設置する際に、配管接続部１１３側の端部が描く軌跡Ｌ１を二点鎖線で示している。この軌跡Ｌ１と空気通過面１１０ａまでの距離が寸法Ｗ１に相当する。
【００２９】
蒸発器１１を第１ケース部材２内に設置する際には、図６に図示するように、蒸発器１１は一端１１２から設置用開口部２０の内側に挿通されて、第１ケース部材２の奥側壁２３に向けて押し込まれる。このとき、空気通過面１１０ａの一部またはサイドプレートを連絡壁部２２のガイド面に沿わせた状態で蒸発器１１を奥側壁２３側へ進入させる。そして、距離Ｗ２が寸法Ｗ１よりも大きいため、配管接続部１１３側の端部が第１ケース部材２の内面に接触することなく円滑に蒸発器１１を奥側壁２３に接触するまで進入させることができる。
【００３０】
蒸発器１１の一端１１２が奥側壁２３に到達するまで進入させると、蒸発器１１の他端１１１側を配管用開口部２１側に回転移動させるように蒸発器１１の姿勢を変更する。この移動により、シール部材１１３ａが第１ケース部材２の内面に接触するようになる。さらに蒸発器１１は、第１ケース部材２の内部に設置された状態で、一端１１２側の部位よりも他端１１１側の部位の方が連絡壁部２２から離間するように空気通過面１１０ａが連絡壁部２２のガイド面に対して所定角度傾斜した姿勢になっている。この状態では、一端１１２が奥側壁２３に接触し、さらに第１壁部２２０が蒸発器１１における両方の側面に直接または間接的に接触することで、蒸発器１１は第１ケース部材２によって支持されている。次に、嵌合部３０を形成するように、第１ケース部材２に第２ケース部材３を組み付ける。
【００３１】
図１および図８に図示するように、第１ケース部材２に対し、配管用開口部２１に対応する位置に、第３ケース部材４を外部から取り付けて固定する。これにより、図１および図２に図示するような車両用空調装置１００を製作できる。
【００３２】
第３ケース部材４は、ねじ、ボルト等の螺合手段によって第１ケース部材２に固定されている。第３ケース部材４は、貫通穴部４０の周囲を囲むフランジ部４２を備える環状部材である。貫通穴部４０は、配管接続部１１３に接続される外部からの配管が挿通可能な開口部を形成している。この外部からの配管は、エンジンルームに設置された冷凍サイクルを構成する配管であり、例えば、凝縮器に通じる配管と、圧縮機に通じる配管である。凝縮器に通じる配管は配管接続部１１３において流入用配管に連通するように連結され、圧縮機に通じる配管は、配管接続部１１３において流出用配管に連通するように連結されている。
【００３３】
フランジ部４２は、配管用開口部２１の内周縁を外部から覆うことができる大きさおよび形状を有している。フランジ部４２の外周縁よりも内側に位置する面の全周には、シール部材４１が設けられている。シール部材４１は、例えば、天然ゴム、合成ゴム、ウレタン等のエラストマによって形成されている。第３ケース部材４は、前述のダッシュパネルにおいて貫通穴部４０に対応する位置の周囲にシール部材４１が弾性変形した状態で接触する。これにより、空調ケース１はダッシュパネルと接続されている。
【００３４】
次に車両用空調装置１００の内部構成についてさらに詳細に説明する。空調ケース１内の前方側部位には、車両幅方向に延びる送風通路１０が設けられ、この送風通路１０には送風機から送風される空気が蒸発器１１に向けて流下する。空調ケース１の内部において、送風通路１０の直後に蒸発器１１が通路の全域を横切るように配置されている。蒸発器１１は、冷凍サイクルを流通する冷媒の蒸発潜熱を空気から吸収して空気を冷却する冷却用熱交換器である。
【００３５】
車両用空調装置１００は、空調ケースにおいて複数のケース部材によって形成される配管用開口部に熱交換器から延びる配管等を通す構成を採用することなく、熱交換器を空調ケース内に設置できる装置である。この実施形態では、空調ケース１外の配管と接続する構成の熱交換器が蒸発器１１である場合について例示する。
【００３６】
蒸発器１１は、例えば、相互に間隔を空けて配列された複数の冷媒管及びアウターフィンを有する熱交換部１１０と、熱交換部１１０における複数の冷媒管の両端部と接続されるヘッダタンクと、配管接続部１１３と、を備える。配管接続部１１３は、熱媒体としての冷媒が蒸発器１１へ流入する流入用配管、冷媒が蒸発器１１から流出する流出用配管が結合されている。配管接続部１１３は、空調ケース１の外部に設けられた回路を構成する配管が接続できる配管継手部である。また配管接続部１１３には、膨張弁５を接続してもよいし、膨張弁５と一体に形成された配管接続部１１３を構成してもよい。
【００３７】
ヘッダタンクは、熱交換部１１０における冷媒流れ方向の両端部にそれぞれ設けられている。流入用配管は、蒸発器１１の一端側に位置し、蒸発器１１における冷媒流入部に相当する流入側ヘッダタンクに接続されている。流出用配管は、蒸発器１１の一端側であって流入側ヘッダタンクに隣接するように位置し、蒸発器１１における冷媒流出部に相当する流出側ヘッダタンクに接続されている。各ヘッダタンクと空調ケース１の壁部との間には、空気漏れを防止するためのインシュレータを備えるようにしてもよい。
【００３８】
熱交換部１１０には、送風機によって送風された空気が流通する。したがって、蒸発器１１は、熱交換部１１０を通過する空気が熱交換部１１０を通過する際の入口面または出口面に相当する熱交換部の空気通過面１１０ａを備えることになる。空気通過面１１０ａは、矩形平板状をなしており、この矩形平板状の厚さ方向に空気が通過する。熱交換部１１０は、空気の通過方向に対して直交する方向に広がるように延びる部分である。この空気通過面１１０ａは、熱交換部１１０を通過する際に熱媒体と熱交換する空気の流れによって垂直方向に貫かれる仮想の面であり、冷媒管やアウターフィンによって形成される凹凸のある端部である。したがって、空気通過面１１０ａは、熱交換部１１０において空気流れ方向の端部に形成される平らな面ではない。熱交換部１１０は、鉛直方向に対して傾斜する姿勢で配置されている。さらに蒸発器１１は、熱交換部１１０の上端が下端よりも車両前方側に位置するように傾斜した姿勢で空調ケース１の内部に設置されている。
【００３９】
蒸発器１１の空気流れ下流側、あるいは車両後方側には、ヒータコア１４が設置されている。ヒータコア１４は、蒸発器１１を通過した冷風を再加熱するものであって、その内部に高温のエンジン冷却水が流れ、この冷却水を熱源として空気を加熱する熱交換器である。
【００４０】
空調ケース１の内部であって蒸発器１１の車両後方側には、冷風通路１２が設けられている。冷風通路１２には、蒸発器１１の熱交換部１１０を通過して冷却された冷風が流れる。空調ケース１の内部であってヒータコア１４よりも車両後方側から車両上方側にわたる部位には、温風通路１５が設けられている。温風通路１５には、冷風通路１２を流れた後、ヒータコア１４を通過して加熱された温風が流れる。
【００４１】
蒸発器１１の車両後方であってヒータコア１４の車両前方の部位には、ヒータコア１４への空気流入通路を開閉し、ヒータコア１４を通過する空気とヒータコア１４を通過しない空気との風量割合を調整するエアミックスドア１３が設置されている。エアミックスドア１３は、回転軸を中心にして回転する板状のドア本体を備え、ドア本体の回転位置によって、通路の開放度合いを調節するドアである。エアミックスドア１３は、例えばバタフライ式のドア、片持ちドアとすることができる。また、エアミックスドア１３は、例えばドア本体に設けられたラックとピニオンとの噛みあわせによりドア本体を平行移動させて通路の開放度合いを調整するスライド方式のドアによって構成してもよい。
【００４２】
冷風通路１２及び温風通路１５の下流側の部位には、冷風通路１２からの冷風とヒータコア１４からの温風とを合流させて、冷風と温風とを混合させる空気混合部１６が設けられている。空気混合部１６は冷風通路１２の下流側と温風通路１５の下流側との両方に連通する所定範囲のエリアである。空気混合部１６で温度調節された空調空気は、さらに下流に設けられたデフロスタ通路１７０、フェイス通路１７１、フット通路１８０等を通じて車室内の所定の場所に吹き出される。
【００４３】
空調ケース１内の上部であって車両前方側の部位には、空気混合部１６に連通し上方に延びるデフロスタ通路１７０が設けられている。デフロスタ通路１７０は、デフロスタダクトを介して車室内に開口するデフロスタ吹出口に連通する。デフロスタ吹出口は、前窓ガラスの内面に向けて開口している。空調ケース１の上部であってデフロスタ通路１７０よりも車両後方側に隣接する部位には、空気混合部１６に連通するフェイス通路１７１が設けられている。フェイス通路１７１は、フェイスダクトを介して車室内に開口するフェイス吹出口に連通する。フェイス吹出口は、乗員上半身に向けた空調風を吹き出す。
【００４４】
デフロスタ通路１７０、フェイス通路１７１は、吹出口切替ドア１７によって開閉することができる。吹出口切替ドア１７は、エアミックスドア１３と同様のドアであり、回転位置によってデフロスタ通路１７０およびフェイス通路１７１の両方を開状態に制御したり、一方を開状態にするとともに他方を閉状態に制御したりできる。
【００４５】
空調ケース１内の車両後方側の部位には、空気混合部１６に連通するフット通路１８０が設けられている。フット通路１８０は、フットダクトを介して車室内に開口するフット吹出口に連通する。フット吹出口は、乗員下半身に向けた空調風を吹き出す。フット通路１８０は、吹出口切替ドア１８によって開閉することができる。さらにデフロスタ通路１７０およびフェイス通路１７１に通じる上流側の通路は、吹出口切替ドア１７によって開閉することができる。吹出口切替ドア１８は、エアミックスドア１３と同様のドアである。吹出口切替ドア１８は、回転位置によって、デフロスタ通路１７０およびフェイス通路１７１の両方に通じる上流側の通路とフット通路１８０と開状態に制御したり、一方を開状態にするとともに他方を閉状態に制御したりできる。また、吹出口切替ドア１７、１８は、例えばドア本体に設けられたラックとピニオンとの噛みあわせによりドア本体を平行移動させて通路の開放度合いを調整するスライド方式のドアによって構成してもよい。
【００４６】
以下に、第１実施形態の車両用空調装置１００がもたらす作用効果について説明する。車両用空調装置１００は、複数のケース部材を組み合わせて形成されている空調ケース１と、熱媒体の流出用配管および流入用配管が結合されている配管接続部１１３を有する蒸発器１１と、を備える。複数のケース部材のうちの所定のケース部材である第１ケース部材２は、設置用開口部２０の側から奥側壁２３に向かって延びるガイド面を有するガイド部を備える。蒸発器１１は、設置用開口部２０寄りの部位の方が奥側壁２３寄りの部位よりもガイド部から離間するように空気通過面１１０ａがガイド面に対して傾斜した姿勢で第１ケース部材２の内部に収容されている。
【００４７】
この車両用空調装置１００によれば、空調ケース１を形成する複数のケース部材のうちの一つの所定のケース部材に設けられるガイド部と、蒸発器１１が挿通可能な大きさである、所定のケース部材に設けられる設置用開口部２０と、を備える。このガイド部は、設置用開口部２０の側から奥側壁２３に向かって延びるガイド面を有する。このため、蒸発器１１を所定のケース部材内に設置するときに蒸発器１１の空気通過面１１０ａをガイド面に沿わせるようにして設置用開口部２０を通じて内部に進入させることができる。そして、蒸発器１１が一つの所定のケース部材の内部に収容された状態では、蒸発器１１は設置用開口部２０寄りの部位の方が奥側壁２３寄りの部位よりもガイド部から離間するように空気通過面１１０ａがガイド面に対して傾斜する姿勢となっている。これにより、空気通過面１１０ａをガイド面に沿わせながら蒸発器１１を所定のケース部材の奥側壁２３まで進入させた状態から設置用開口部２０寄りの部位をガイド面から離れるように動かすことができる。したがって、配管接続部１１３が配管用開口部２１に対向する姿勢で蒸発器１１を収容できる。
【００４８】
したがって、このように蒸発器１１を収容することができた一つのケース部材に他のケース部材を組み付けることによって空調ケース１を形成できる。以上より、この車両用空調装置１００によれば、蒸発器１１から延びる配管等を空調ケース１の分割位置に通す構成を採用することなく、蒸発器１１を空調ケース１内に設置することができる。
【００４９】
また、車両用空調装置１００によれば、蒸発器１１から延びる配管等を空調ケース１の分割位置に通す構成を採用しないため、配管に付着した結露水が毛細管現象により空調ケース１の分割部を伝って流れることを抑制することができる。この構成によれば、複数のケース部材の組付性が向上するとともに、空調ケース１の強度を向上でき、空調ケース１の歪や変形を抑制できる。
【００５０】
また、車両用空調装置１００によれば、空調ケース１の分割部位の形状が単純化できるので、ケース部材の金型費が低減でき、また成形不良品を低減できるため、装置の製品コストを抑えることに寄与する。また、分割部位の形状の単純化により、カバーなどの必要性が低下し、部品点数を削減できる。
【００５１】
また、ガイド部は、蒸発器１１の側面を支持する第１壁部２２０と第１壁部２２０に対して内側に位置して段差を形成する第２壁部２２１とをつなぐ連絡壁部２２である。この構成によれば、空調ケース１の外形形状を利用してケースの内部にガイド部を形成することができる。また、段差によってガイド部を形成することにより、ケースの強度を向上できるとともに型抜き性がよいケース部材を提供できる。
【００５２】
ガイド部は、所定のケース部材の内面から内側に突出するリブ１２２である。この構成によれば、段差によってガイド部を形成しないので、空気通路の幅寸法に差を設ける必要がない。したがって、空調ケース１内の通路スペースを可能な限り大きくするように形成することができる。また、ケース部材を成形するための金型に溝を掘るだけで形成できるので金型費の低減が図れる。
【００５３】
蒸発器１１は、配管接続部１１３に近い一端１１２側の部位よりも他端１１１側の部位の方がガイド部から離間するように空気通過面１１０ａがガイド面に対して傾斜した姿勢で所定のケース部材の内部に収容されている。この構成によれば、蒸発器１１をケース部材内において奥側壁２３側へ設置した後、配管が結合されていない体積の小さい方の他端１１１側を回転するように移動させて所定の位置に設置するため、操作性が良い組み立てを実施できる。したがって、組立工数の低減が図れる車両用空調装置１００を提供できる。
【００５４】
配管接続部１１３の外周には、所定のケース部材の内面に接触するシール部材１１３ａが設けられている。この構成によれば、シール部材１１３ａによって空調ケース１とのシールを直接行うことができる。
【００５５】
（第２実施形態）
第２実施形態では、第１実施形態に対する他の形態である車両用空調装置２００について図９及び図１０を参照して説明する。第２実施形態の車両用空調装置２００は、第１ケース部材１０２に対して蒸発器１１を設置する際に、配管接続部１１３とは反対側に位置する他端１１１を先頭にして第１ケース部材１０２に進入させる点が相違する。第２実施形態において、第１実施形態に係る図面と同一符号を付した構成部品及び説明しない構成は、第１実施形態と同様であり、同様の作用効果を奏する。第２実施形態では第１実施形態と異なる構成等について説明する。図９および図１０は、蒸発器１１を設置する際の状況が理解しやすいように、蒸発器１１を設置する部位だけ内部が見えるように第１ケース部材１０２を破断して示している。したがって、各図において第１ケース部材１０２はそれ以外の部位について外観を示している。
【００５６】
図９および図１０に示すように、車両用空調装置２００は、下方に位置する第１ケース部材１０２と上方に位置する第２ケース部材１０３とを組み合わせて構成される空調ケースを有する。第１ケース部材１０２は、車両前側であって上部において上方に向けて開口する設置用開口部２０を備える。第１ケース部材１０２の奥側壁は、蒸発器１１において配管接続部１１３とは反対側である他端１１１が直接または間接的に接触する壁部である。他端１１１は、例えば、蒸発器１１を第１ケース部材１０２内に設置する際に蒸発器１１の先頭側となるヘッダタンクに相当する。一方、一端１１２は、蒸発器１１の後ろ側となるヘッダタンクに相当する。
【００５７】
蒸発器１１を第１ケース部材１０２内に設置する際には、図９に図示するように、蒸発器１１は他端１１１から設置用開口部２０の内側に挿通されて、第１ケース部材１０２の奥側壁に向けて押し込まれる。このとき、空気通過面１１０ａの一部またはサイドプレートを連絡壁部２２のガイド面に沿わせた状態で蒸発器１１を奥側壁側へ進入させる。このとき、第１実施形態と同様に、配管接続部１１３側の端部が第１ケース部材１０２の内面に接触することなく円滑に蒸発器１１を奥側壁に接触するまで進入させることができる。
【００５８】
蒸発器１１の他端１１１が奥側壁に到達するまで進入させると、蒸発器１１の一端１１２側を配管用開口部２１側に回転するように移動させて蒸発器１１の姿勢を変更する。この移動により、シール部材１１３ａが第１ケース部材１０２の内面に接触する。さらに蒸発器１１は、第１ケース部材１０２の内部に設置された状態で、一端１１２側の部位の方が他端１１１側の部位よりも連絡壁部２２から離間するように空気通過面１１０ａが連絡壁部２２のガイド面に対して所定角度傾斜した姿勢になる。この状態では、他端１１１が奥側壁に接触し、さらに第１壁部２２０が蒸発器１１における両方の側面に直接または間接的に接触することで、蒸発器１１は第１ケース部材１０２によって支持されている。次に、第１ケース部材１０２に第２ケース部材１０３を組み付ける。
【００５９】
第２実施形態によれば、蒸発器１１は、配管接続部１１３に近い一端１１２側の部位の方が他端１１１側の部位よりも連絡壁部２２のガイド面から離間するように空気通過面１１０ａがガイド面に対して傾斜した姿勢で第１ケース部材１０２の内部に収容されている。この構成によれば、蒸発器１１をケース部材内において奥側壁２３側へ設置した後、配管接続部１１３側の一端１１２を回転するように移動させることになる。これにより、この回転するような移動は、配管部の軸方向に近い軌跡となるので、シール部材１１３ａを配管用開口部２１の周囲面に対してほぼ直交する角度で接触させることができる。このため、シール部材１１３ａとケース部材とのシール性を高めることが可能な車両用空調装置２００を提供できる。
【００６０】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、ひとつの実施形態と他の実施形態との間における部品、要素の置き換え、または組み合わせを包含する。開示される技術的範囲は、実施形態の記載に限定されない。開示される技術的範囲は、特許請求の範囲の記載によって示され、さらに特許請求の範囲の記載と均等の意味および範囲内での全ての変更を含むものと解されるべきである。
【００６１】
前述の実施形態において、空調ケース１を構成する複数のケース部材は、主に第１ケース部材２と第２ケース部材３であるが、この個数や構成に限定されない。車両用空調装置１００は、配管用開口部２１が一つのケース部材で形成されている構成であればよく、配管用開口部２１以外の部位が複数のケース部材によって形成されている構成であってもよい。
【００６２】
前述の実施形態に開示した車両用空調装置１００，２００は、蒸発器１１から延びる配管等を空調ケース１の分割位置に通す構成を採用することなく、蒸発器１１を空調ケース１内に設置可能とするが、対象とする熱交換器は蒸発器１１に限定されない。車両用空調装置１００，２００には、例えば、蒸発器１１の代わりに、凝縮器等の暖房用の熱交換器、温水等が流通するヒータコア等、空調ケース１の外部へ延びる配管等を有するその他の熱交換器を適用することができる。
【００６３】
前述の実施形態において、ある部分と別のある部分とが直接的または間接的に接触する、と表現しているが、間接的に接触する場合とは、両者を確実に接触させるために別の部材が介在していることを意図し、例えばシール部材等が介在していることを意図している。
【符号の説明】
【００６４】
１…空調ケース
２…第１ケース部材（所定のケース部材）、  ３…第２ケース部材（ケース部材）
１０…送風通路（空気通路）、  １１…蒸発器（熱交換器）
１２…冷風通路（空気通路）、  １５…温風通路（空気通路）
２０…設置用開口部、  ２１…配管用開口部
２２…連絡壁部（ガイド部）、  ２３…奥側壁
１１０…熱交換部、  １１０ａ…出口面（空気通過面）、  １１３…配管接続部
１２２…リブ（ガイド部）
【図１】
0006607108.tif 000002
【図２】
0006607108.tif 000003
【図３】
0006607108.tif 000004
【図４】
0006607108.tif 000005
【図５】
0006607108.tif 000006
【図６】
0006607108.tif 000007
【図７】
0006607108.tif 000008
【図８】
0006607108.tif 000009
【図９】
0006607108.tif 000010
【図１０】
0006607108.tif 000011